(57)【要約】  【課題】強度を確保しつつ吸引路の精度を向上できるスクイージを提供する。  【解決手段】スクイージケース21の上ケース27と下ケース28をそれぞれ樹脂で成形する。床面に接地するスクイージゴム23とスクイージケース21の間に形成する吸引路を精密に設計でき、吸引路の精度を向上できる。下ケース28にサポートプレート22を設けることで歪みを矯正した下ケース28により上ケース27の歪みを矯正してスクイージケース21を補強するとともに歪みを防止し、強度を確保できる。  【選択図】図１
2005199032.tif 000002
【特許請求の範囲】
【請求項１】
長手状にそれぞれ樹脂で成形された上ケースおよび下ケースで構成されるケース体と、
前記下ケースに設けられた補強部材と、
前記ケース体の前後に離間されて取り付けられ被掃除面に接地させて前記ケース体との間に吸引路を形成する可撓性部材と
を具備したことを特徴とした吸込口体。
【請求項２】
ケース体は、進行方向前側に両端部が突出するように弧状に湾曲して形成され、
補強部材は、前記ケース体に対応して弧状に湾曲して形成され、
前記ケース体の長手方向の略中央部に開口形成された吸込口と、
この吸込口に対応して前記補強部材の長手方向の略中央部に開口形成された開口部と、
この開口部の縁部の前記補強部材の湾曲径大側から折り返して突設された折り返し部とを有している
ことを特徴とした請求項１記載の吸込口体。
【請求項３】
可撓性部材は、上ケースおよび下ケースに挟持されてケース体に取り付けられる
ことを特徴とした請求項１または２記載の吸込口体。
【請求項４】
下ケースに設けられた第１の係合部と、
可撓性部材に設けられ、前記第１の係合部と互いに係合される第２の係合部とを具備し、
前記可撓性部材は、前記第１の係合部と前記第２の係合部とを互いに係合させた状態で上ケースおよび下ケースに挟持されている
ことを特徴とした請求項１ないし３いずれか一記載の吸込口体。
【請求項５】
可撓性部材は、ケース体の長手方向両端部で互いに接している
ことを特徴とした請求項１ないし４いずれか一記載の吸込口体。
【請求項６】
請求項１ないし５いずれか一記載の吸込口体と、
この吸込口体が接続される掃除機本体と
を具備したことを特徴とした掃除装置。
【発明の詳細な説明】
【技術分野】
【０００１】
本発明は、ケース体との間に吸引路を形成する可撓性部材を有する吸込口体およびこれを備えた掃除装置に関する。
【背景技術】
【０００２】
従来、例えばウェットバキュームなどの電気掃除機に用いられる吸込口体としてのスクイージは、有蓋角筒状に形成されたケース体を備えている。このケース体は、電気掃除機の幅方向に長手状に形成されている。また、このケース体の長手方向の中心部には、電気掃除機の電動送風機の吸込側に連通する連通口が設けられている。さらに、このケース体の内部には、長手状のスクイージサポートが嵌合している。このスクイージサポートの前後には、ケース体の内側面との間に、可撓性部材としてのスクイージゴムがそれぞれ長手方向全体に亘って取り付けられ、互いに離間されている。これらスクイージゴムは、被掃除面としての床面に接地されてケース体およびスクイージサポートとの間に吸引路を形成する（例えば、特許文献１参照。）。
【０００３】
そして、一般に、ケース体およびスクイージサポートは、長手状に形成されていることで両端部間に歪み、あるいは反りなどが生じるおそれがあるため、強度を考慮して金属の切り出しなどで形成されている。
【特許文献１】特開平１０−５７２９１号公報（第３頁、図５）
【発明の開示】
【発明が解決しようとする課題】
【０００４】
ここで、スクイージは、長手方向の中心部に設けられた連通口から廃液、あるいは塵埃などを吸い込むので、スクイージ全体の吸込性能を向上するためには、長手方向の中心部と両端部とで吸引路の形状などを細かく変化させる必要がある。
【０００５】
しかしながら、上述のスクイージでは、ケース体およびスクイージサポートが金属であるため、成形の過程上、これらケース体およびスクイージサポートの細部の形状などを精密に設定することが容易でなく、吸引路を精度よく設計することが容易でないという問題点を有している。
【０００６】
本発明は、このような点に鑑みなされたもので、強度を確保しつつ吸引路の精度を向上できる吸込口体およびこれを備えた掃除装置を提供することを目的とする。
【課題を解決するための手段】
【０００７】
本発明は、長手状にそれぞれ樹脂で成形された上ケースおよび下ケースで構成されるケース体と、下ケースに設けられた補強部材と、ケース体の前後に離間されて取り付けられ被掃除面に接地させてケース体との間に吸引路を形成する可撓性部材とを具備したものである。
【発明の効果】
【０００８】
本発明によれば、ケース体の上ケースと下ケースとをそれぞれ樹脂で成形することで、被掃除面に接地される可撓性部材とケース体との間に形成される吸引路を精密に設計でき、吸引路の精度を向上でき、かつ下ケースに補強部材を設けることで歪みなどを矯正した下ケースにより上ケースの歪みなどを矯正してケース体を補強するとともに歪みなどを防止し、強度を確保できる。
【発明を実施するための最良の形態】
【０００９】
以下、本発明の一実施の形態の掃除装置の構成を図１ないし図６を参照して説明する。
【００１０】
図６において、１は掃除装置としての電気掃除機を示し、この電気掃除機１は、フロアケアにおいて、ハードフロアの洗浄、あるいはワックスの剥離などの際の廃液を回収する湿式の掃除機、すなわちウェットバキュームクリーナである。
【００１１】
そして、この電気掃除機１は、走行可能な台車２と、この台車２に載置された掃除機本体３と、台車２に着脱可能に取り付けられ掃除機本体３に接続される吸込口体としてのスクイージ４とを備えている。
【００１２】
台車２は、掃除機本体３が載置される略四角形状の載置部としての載置台11を備えている。この載置台11の下部には、旋回輪である一対の前輪12と、走行輪である一対の後輪13とがそれぞれ回転自在に設けられ、これら前輪12および後輪13により台車２が走行可能となっている。また、載置台11の後部には、作業者が把持する略Ｕ字状のハンドル部14が設けられている。
【００１３】
掃除機本体３は、スクイージ４から吸い込んだ廃液および塵埃をともに収容する廃液タンク15と、この廃液タンク15の上部に着脱可能に設けられた吸込部16とを備えている。
【００１４】
廃液タンク15は、例えば金属などで有底円筒状に形成され、台車２の載置台11上に着脱可能に配置されている。
【００１５】
吸込部16は、例えば合成樹脂などで成形された吸込部本体17を備えている。この吸込部本体17は、廃液タンク15の上部に取り付けた状態で、この廃液タンク15の上部を閉塞する。また、この吸込部本体17内には、電動送風機18、あるいは図示しないフィルタなどが収容されている。さらに、この吸込部本体17の後部には、電動送風機18に電力を供給する図示しない電源コードが巻き取り可能に導出されている。そして、この吸込部本体17には、電動送風機18の吸込側に連通接続される蛇腹円筒状のホース体19が突設されている。このホース体19は、可撓性および伸縮性を有し、先端部がスクイージ４に着脱可能に連通接続される。一方、電動送風機18の排気側は、フィルタなどを介して廃液タンク15に連通されている。
【００１６】
スクイージ４は、図１ないし図４に示すように、電気掃除機１の幅方向、すなわち走行方向に交差、例えば直交する方向に沿って長手状に形成されたケース体としてのスクイージケース21、このスクイージケース21の下部に取り付けられた補強部材としての板状のサポートプレート22、および、スクイージケース21の前後にそれぞれ取り付けられた可撓性部材としての弾性部材であるスクイージゴム23を備えている。
【００１７】
スクイージケース21は、平面視で円弧状に湾曲され、長手方向に略対称な形状に形成されている。また、このスクイージケース21は、図５に示すように、台車２の載置台11の下部から前方に突設された取付体25に、長手方向の両端部が中心部よりもそれぞれ前方に位置するように取付ノブ26を介して着脱可能に取り付けられる。すなわち、スクイージケース21は、長手方向の両端部が、電気掃除機１の進行方向前側にそれぞれ突出するように湾曲している。このため、スクイージ４は、電気掃除機１の前進にしたがって電気掃除機１の前方の廃液などを掻き集めて吸い込みやすくなっている。さらに、このスクイージケース21は、図１ないし図４に示すように、それぞれ合成樹脂で成形された上ケース27と下ケース28とで構成されている。
【００１８】
上ケース27は、スクイージ４の上部となる平面状の上部平面部31と、この上部平面部31の周囲から下方に向けて円弧状に湾曲した曲面部32と、この曲面部32の下端部から下方に突出しスクイージケース21の側部となる側面部33と、この側面部33の下端部から外方に突出したフランジ部34とが、それぞれ一体に設けられ、下方に湾曲した蓋状に形成されている。
【００１９】
また、上ケース27の長手方向の中心域には、上ケース27を上下に貫通する貫通孔35を中心部に備えた略円筒状の連通管部36が上方に向けて突設されている。この連通管部36には、ホース体19の先端部が着脱可能に連通接続される。
【００２０】
さらに、上ケース27の上部には、上ケース27を上下に貫通する上部ボルト挿通孔41を中心部に備えた略円筒状の一対の取付台部42が上方に向けて突設されている。これら取付台部42は、スクイージケース21を取付体25に取り付けた際に、この取付体25の下部に上端部が当接するものである。また、これら取付台部42は、上ケース27の長手方向について互いに線対称な位置にそれぞれ設けられ、連通管部36からそれぞれ離間されている。さらに、これら取付台部42は、連通管部36よりも突出寸法が小さい。
【００２１】
そして、上ケース27の上部平面部31には、複数、例えば４つのケース固定孔43が穿設されている。これらケース固定孔43は、上ケース27の両端部近傍にそれぞれ位置する両端ケース固定孔43aと、これら両端ケース固定孔43aと取付台部42との間に位置する中央ケース固定孔43bとを有している。そして、両端ケース固定孔43a，43a同士、および、中央ケース固定孔43b，43b同士は、それぞれ上ケース27の長手方向について線対称な位置に設けられている。
【００２２】
また、上ケース27の両端部には、スクイージゴム23の両端部が突出可能な切欠部45がそれぞれ切り欠き形成されている。これら切欠部45は、上ケース27の側面部33およびフランジ部34の下端部を略矩形状に切り欠いて形成されている。
【００２３】
さらに、上ケース27の内部すなわち下側面には、補強用の複数の上部リブ46が設けられている。これら上部リブ46は、上ケース27の長手方向、および、前後方向に亘ってそれぞれ架け渡されている。そして、これら上部リブ46は、下端部が例えば曲面部32と側面部33との連接位置に位置し、下ケース28の上端部との間でスクイージゴム23を挟持固定するものである。
【００２４】
下ケース28は、上ケース27内に下側から嵌合可能に設けられている。この下ケース28は、スクイージケース21の下面となる下部平面部51と、この下部平面部51の周囲から上方に向けて湾曲し上ケース27に嵌合した状態で側面部33の内側に対向する下部側面部52とを備えている。
【００２５】
下部平面部51には、下方に向けて吸引路形成部としての複数の吸引路用リブ53が下方に向けて突設されている。これら吸引路用リブ53は、下ケース28の長手方向に沿ってこの下ケース28の両端部から中心部側へと延設された吸引路用リブ53aと、この吸引路用リブ53aから下ケース28の中心側に離間された吸引路用リブ53bとを有している。そして、吸引路用リブ53aは、下ケース28の長手方向の両端部近傍に位置する部分から中心部へと厚みが大きく、かつ突出寸法が大きくなるように形成されている。すなわち、これら吸引路用リブ53a，53bにより、スクイージ４内にスクイージケース21とスクイージゴム23との間で形成される吸引路Ｓがスクイージケース21の長手方向の両端部から中心部へと狭くなることで、スクイージケース21内の真空度が長手方向全体に亘って一定となっている。
【００２６】
ここで、この吸引路Ｓは、電動送風機18の駆動により、空気とともに塵埃および廃液などを吸い込むものである。
【００２７】
また、下部平面部51の長手方向の中心部には、上ケース27と下ケース28との嵌合状態で上ケース27の連通管部36の下部に連通する四角形状の吸込口54が穿設された角筒状の吸込口部55が下方に向けて突設されている。この吸込口部55は、吸引路用リブ53と略等しい突出寸法を有している。また、この吸込口部55は、長手方向の両端部が吸引路用リブ53bにそれぞれ連続している。なお、この吸込口部55の吸込口54は、スクイージケース21の長手方向の中央部に開口形成されている。
【００２８】
さらに、下ケース28には、上ケース27の各取付台部42に対応する位置である吸引路用リブ53aと吸引路用リブ53bとの間に、それぞれ下部ボルト挿通孔56が穿設されている。
【００２９】
そして、下ケース28には、上ケース27の４箇所のケース固定孔43に対応する位置に、それぞれ螺子孔57が穿設されている。これら螺子孔57には、下側から固定ボルト58がそれぞれ挿入され、これら固定ボルト58が上ケース27の上側からケース固定孔43にそれぞれ嵌合された小取付ノブ59に螺子止めされることで、上ケース27と下ケース28とが互いに固定される。
【００３０】
また、下ケース28には、ビス孔61が複数設けられている。これらビス孔61は、下ケース28の周囲に沿ってそれぞれ配置され、下ケース28とサポートプレート22とを、複数のビス62により互いに固定するためのものである。
【００３１】
さらに、下ケース28の下部側面部52には、第１の係合部としての複数のスリット63がそれぞれ切り欠き形成されている。これらスリット63は、スクイージケース21の前側および後側に同数ずつそれぞれ位置し、下ケース28の長手方向に互いに離間されている。また、これらスリット63は、図２に示すように、下部側面部52の上端部から上下方向に沿って長孔状に切り欠き形成されている。
【００３２】
そして、図１ないし図４に示すように、下ケース28の内部には、補強用の複数の下部リブ64が設けられている。これら下部リブ64は、下ケース28の長手方向および前後方向に架け渡されている。
【００３３】
サポートプレート22は、例えば金属などの硬質の部材で設けられ、スクイージケース21に対応して円弧状に湾曲し、取り付け状態で下ケース28の下部側面部52の下部に位置し、スクイージ４の下部となるものである。このサポートプレート22には、吸込口部55および吸引路用リブ53bが嵌合されて下方に突出する開口部としての中心孔65が中心部に穿設されている。この中心孔65は、吸込口部55の吸込口54に対応してサポートプレート22の長手方向の中央部に開口形成されている。
【００３４】
そして、この中心孔65は、図１および図５に示すように、細長四角形状の中央孔部65aと、この中央孔部65aの両端部にそれぞれ連続した細長四角形状の端部側孔部65bとを備え、サポートプレート22の長手方向に沿って長孔状に形成されている。
【００３５】
中央孔部65aは、端部側孔部65bよりも前後方向の寸法が大きく形成されている。
【００３６】
またさらに、サポートプレート22の中心孔65の中央孔部65aの縁部の後側、すなわち中心孔65の縁部でサポートプレート22の湾曲径大側には、図１、図４および図５に示すように、板状の折り返し部66が後方下側に傾斜状に折り返して突設されている。この折り返し部66は、スクイージケース21の湾曲方向と反対方向に向けて突出している。また、この折り返し部66は、先端部がスクイージゴム23の下端部よりも上方に位置し、床面に接触しないようになっている。そして、この折り返し部66は、例えばプレス成形などで金属板から中心孔65を打ち抜く際に、中央孔部65aの内部に位置する部分をそのまま折り曲げることで形成されている。
【００３７】
また、サポートプレート22の中心孔65の両端方向には、下ケース28の吸引路用リブ53aがそれぞれ嵌合されて下方に突出する固定孔67がそれぞれ穿設されている。これら固定孔67は、サポートプレート22の両端部近傍に亘って長孔状に形成されている。
【００３８】
そして、中心孔65と各固定孔67とは、吸込口部55および吸引路用リブ53bと、吸引路用リブ53aとがそれぞれ嵌合されることでサポートプレート22を下ケース28に対して位置決めするものである。
【００３９】
さらに、サポートプレート22の周囲には、複数のプレート螺子孔68が穿設されている。これらプレート螺子孔68は、ビス62の先端部が螺子止め固定されるもので、下ケース28の各ビス孔61に対応してそれぞれ設けられている。
【００４０】
また、サポートプレート22の中心孔65と各固定孔67との間には、取付台部42の上部ボルト挿通孔41に対応してボルト挿入孔71がそれぞれ穿設されている。これらボルト挿入孔71には、ワッシャ72およびナット73に挿入されたボルト74が下方からそれぞれ挿入され、上部ボルト挿通孔41に挿通されて取付台部42から上方に突出したこれらボルト74の先端部を取付体25の図示しない取付孔にそれぞれ挿入した状態で、取付体25の上部に位置する取付ノブ26に螺子止めすることで、スクイージ４が台車２に着脱可能に取り付けられる。
【００４１】
スクイージゴム23は、可撓性を有するゴムなどで板状に形成され、スクイージケース21およびサポートプレート22の面方向に交差する方向である前後方向に厚み方向が位置するようにスクイージケース21の下部に取り付けられる。すなわち、スクイージゴム23は、スクイージケース21の前後方向に離間されて取り付けられる。
【００４２】
そして、これらスクイージゴム23は、スクイージケース21に取り付けた状態で、下端部がスクイージケース21よりも下方にそれぞれ突出している。このため、これらスクイージゴム23は、図４に示すように、被掃除面としての床面Ｆに接地されることで、スクイージケース21の下ケース28の下部平面部51および吸引路用リブ53の両側面部との間に、連通管部36の貫通孔35に連通しスクイージケース21の長手方向に沿って長手状の吸引路Ｓを形成する。
【００４３】
さらに、これらスクイージゴム23は、長手寸法がスクイージケース21よりも大きく形成されており、スクイージケース21に取り付けた状態ではスクイージケース21の湾曲形状に沿って湾曲するとともに、両端部が切欠部45からスクイージケース21の両端部に突出して吸引路Ｓが気密および液密になるように互いに接している。したがって、スクイージゴム23は、スクイージケース21の周囲を囲むように配置される。
【００４４】
そして、スクイージゴム23の上端部には、スクイージケース21側に対向して突出部76が設けられている。この突出部76は、スクイージゴム23の長手方向の両端部近傍に亘って延設されている。また、この突出部76には、スリット63にそれぞれ係合する第２の係合部としての複数の係合突出部77がそれぞれ下方に向けて延設されている。これら係合突出部77は、スクイージゴム23の長手方向に互いに略等間隔に離間され、スリット63に対応する個数設けられている。また、これら係合突出部77は、スクイージゴム23に平行に設けられた係合部77aと、この係合部77aとスクイージゴム23との間に架け渡された嵌合部77bとを有している。
【００４５】
係合部77aは、スクイージゴム23との間で断面視コ字をなすように設けられ、係合突出部77をそれぞれスリット63に係合した状態で、下部側面部52の内側面に当接している。
【００４６】
嵌合部77bは、スリット63に嵌合可能に上下方向に長手状に設けられている。
【００４７】
さらに、スクイージゴム23のスクイージケース21と反対側には、複数の溝部78が設けられている。これら溝部78は、スクイージゴム23の下端部から上下方向に沿ってスクイージゴム23の上端部近傍に亘って設けられ、スクイージゴム23の長手方向に互いに略等間隔に離間されている。そして、これら溝部78は、スクイージゴム23の取り付け状態で上ケース27の下端部近傍に上端部が位置している。
【００４８】
次に、上記一実施の形態の動作を説明する。
【００４９】
まず、スクイージ４を組み立てる際には、下ケース28の吸引路用リブ53bおよび吸込口部55と、吸引路用リブ53aとを、それぞれサポートプレート22の中心孔65および固定孔67に嵌合させ、これら下ケース28とサポートプレート22とをビス62で固定する。
【００５０】
次いで、下ケース28の各スリット63に、両スクイージゴム23の各係合突出部77の嵌合部77bを嵌合させてこれら係合突出部77を各スリット63に係合させ、これらスクイージゴム23を下ケース28に仮止めした状態で、この下ケース28の上部に上ケース27を被せ、各固定ボルト58を各螺子孔57に挿入する。
【００５１】
さらに、両スクイージゴム23の両端部を、上ケース27の切欠部45からスクイージケース21の外方に突出させて接触させ、ケース固定孔43に嵌合した小取付ノブ59に固定ボルト58をそれぞれ締め付けて上ケース27と下ケース28とを互いに固定してスクイージ４を完成する。
【００５２】
またさらに、台車２の取付体25の下部に、スクイージ４の取付台部42を位置させ、ワッシャ72に挿通させた各ボルト74を、スクイージ４の下側から順次ボルト挿入孔71、下部ボルト挿通孔56、ナット73および上部ボルト挿通孔41に挿通させて、取付体25の上部にて取付ノブ26で締め付けてスクイージ４を台車２に固定する。
【００５３】
そして、作業者は、台車２の載置台11に載置した掃除機本体３から、ホース体19を前方に引っ張ってスクイージ４の連通管部36に連通接続させた状態で、電源コードを図示しないコンセントに接続して電動送風機18を駆動させ、ハンドル部14を把持して電気掃除機１を床面Ｆ上で走行させる。
【００５４】
すると、スクイージ４のスクイージゴム23により掻き集められた床面Ｆ上の廃液、あるいは塵埃などが、電動送風機18の駆動により空気とともに吸引路Ｓへと吸い込まれ、吸込口54、貫通孔35およびホース体19を介して吸込部16内へと吸い込まれて、廃液タンク15内に収容される。
【００５５】
上述したように、上記一実施の形態によれば、スクイージケース21の上ケース27と下ケース28とをそれぞれ樹脂で成形することで、例えば金属などでケース体を形成する従来の場合などと比較して、スクイージゴム23とスクイージケース21との間に形成される吸引路Ｓを容易に精密に設計して最適化でき、吸引路Ｓの精度を向上できる。
【００５６】
同時に、下ケース28にサポートプレート22を取り付けることで、樹脂成形に伴う下ケース28の歪み、あるいは上下方向などへの反りなどを矯正し、この歪み、あるいは反りなどを矯正した下ケース28を上ケース27に取り付けることにより上ケース27の歪み、あるいは上下方向などへの反りなどをも間接的にサポートプレート22で矯正して、スクイージケース21を補強するとともに歪みなどを防止し、スクイージ４の強度を確保できる。
【００５７】
また、サポートプレート22を、下ケース28にのみ固定し、上ケース27には固定しないことで、上ケース27と下ケース28との歪み、あるいは上下方向などへの反りなどを、１つのサポートプレート22が同時に受けることを防止できる。この結果、サポートプレート22の強度が上ケース27および下ケース28の歪み、あるいは上下方向などへの反りなどに負けてしまうことを防止でき、１つのサポートプレート22でもスクイージケース21全体の歪み、あるいは上下方向などへの反りなどを充分に防止できる。
【００５８】
加えて、下ケース28は上ケース27よりも吸引路Ｓに与える影響が大きいため、下ケース28にサポートプレート22を固定することで、上ケース27よりも精度よく、かつ確実に、下ケース28の歪み、あるいは上下方向などへの反りなどを矯正できるので、下ケース28の歪みなどによりスクイージゴム23が床面Ｆから離間されてしまったりすることでの吸引路Ｓへの悪影響を、より確実に防止できる。
【００５９】
さらに、サポートプレート22を下ケース28にのみ取り付ければよいため、上ケース27にも補強部材を設ける場合などと比較して、部品点数を抑制でき、コストを抑制できる。
【００６０】
しかも、スクイージケース21が樹脂成形なので、金属を切り出したりプレスしたりしてケース体を形成する場合と比較して、スクイージ４を軽量化できるとともに、上ケース27および下ケース28を形成する金型のコストを抑制でき、スクイージ４の製造コストおよび電気掃除機１の製造コストをも抑制できる。
【００６１】
そして、スクイージ４を軽量化できることで、電気掃除機１の操作感を軽くすることが可能になり、電気掃除機１の操作性を向上できる。
【００６２】
また、吸引路Ｓの精度を向上できることで、吸引路Ｓでの吸い込みの圧力損失を低減できるとともに、スクイージ４の長手方向の両端部と中心部との吸込性能の差を低減でき、吸込性能をスクイージ４全体で均一化できる。
【００６３】
さらに、スクイージゴム23を、スクイージケース21の上ケース27と下ケース28とで挟持することで、スクイージゴムを取り付けるためのサポート板などを設ける従来の場合と比較して、工数および部品点数をそれぞれ抑制できるとともに、例えばスクイージゴムをケース体に螺子止めする場合などと比較して、スクイージゴム23を容易にスクイージケース21に取り付けでき、スクイージ４の製造性を向上できる。
【００６４】
しかも、スクイージゴム23に設けた係合突出部77を下ケース28のスリット63に係合させることで、スクイージゴム23を下ケース28に仮止めできるので、スクイージ４の組み立て時に、作業者が作業中のスクイージゴム23の脱落などを考慮することなく上ケース27と下ケース28との固定作業に専念できるため、組み付けの作業性を向上できる。
【００６５】
特に、スクイージ４は、長手状に形成されているため、スクイージ４の両端部および中心部での固定作業などを同時にすることが容易でないから、スクイージゴム23を仮止めできる構造とすることで、上ケース27と下ケース28とを長手方向の一端部などから順次確実に固定していくことができ、製造性をより向上できる。
【００６６】
そして、スクイージゴム23の両端部を、スクイージケース21の両側方で互いに接触させることで、吸引路Ｓに隙間ができることを防止して吸引路Ｓの真空度を向上でき、吸引路Ｓでの圧力損失を、より抑制できる。
【００６７】
また、中心孔65の縁部でサポートプレート22の湾曲径大側に折り返し部66を設けることで、中心孔65が穿設されて周囲よりも強度が弱くなるおそれがあるサポートプレート22の中心部を折り返し部66で補強し、例えば掃除中などにスクイージ４の前側が壁などに当たって、スクイージ４の長手方向の両端部が後方に押され、サポートプレート22の中心部に応力が集中してサポートプレート22が変形し、スクイージ４が変形することを防止できる。
【００６８】
この結果、掃除作業中にスクイージ４を壁などにぶつけないように作業者が必要以上に気をつけることがなく、掃除をしやすい状態に維持できる。
【００６９】
しかも、サポートプレート22の湾曲径大側である中心孔65の中央孔部65aの後側を折り返して折り返し部66とすることで、スクイージ４の両端部に加わる外力によってサポートプレート22の中央部に生じる内力を折り返し部66の幅方向に分散して、サポートプレート22を確実に補強できる。
【００７０】
特に、サポートプレート22は金属の部材で形成されているため、縮みに対して弱いので、サポートプレート22の湾曲径小側である前側からの外力に対して縮み側となる湾曲径大側に折り返し部66を設けることで、サポートプレート22の幅方向への縮み、および、この縮みによる亀裂の発生などをも確実に防止できる。
【００７１】
そして、折り返し部66は、サポートプレート22の製造時に中心孔65を打ち抜く際の中央孔部65aの内部に位置している部分で形成するため、容易に製造できて製造性が向上するとともに、別部材で中心孔65付近を補強する場合などと比較して、製造コストを低減できる。
【００７２】
なお、上記一実施の形態では、中心孔65を狭めることがないため、スクイージケース21およびサポートプレート22それぞれの湾曲方向の反対方向に向けて中心孔65の縁部のサポートプレート22の湾曲径大側から折り返して折り返し部66を形成したが、この折り返し部66の折り返しは、スクイージケース21およびサポートプレート22それぞれの湾曲方向の反対方向に限られない。
【００７３】
さらに、スクイージゴム23は、上ケース27と下ケース28とに挟持する構成以外にも、様々な構成でスクイージケース21に取り付けることが可能である。
【００７４】
スリット63および係合突出部77の個数および形状などは、スクイージゴム23の長さなどに応じて任意に設定できる。
【００７５】
電気掃除機１の細部は、上記構成に限定されるものではない。
【図面の簡単な説明】
【００７６】
【図１】本発明の一実施の形態の吸込口体を示す分解斜視図である。
【図２】同上吸込口体の一部を拡大して示す斜視図である。
【図３】同上吸込口体を分解して示す縦断面図である。
【図４】同上吸込口体の設置状態を示す縦断面図である。
【図５】同上吸込口体の補強部材の一部を拡大して示す斜視図である。
【図６】同上吸込口体を備えた掃除装置を示す斜視図である。
【符号の説明】
【００７７】
１    掃除装置としての電気掃除機
３    掃除機本体
４    吸込口体としてのスクイージ
21    ケース体としてのスクイージケース
22    補強部材としてのサポートプレート
23    可撓性部材としてのスクイージゴム
27    上ケース
28    下ケース
54    吸込口
63    第１の係合部としてのスリット
65    開口部としての中心孔
66    折り返し部
77    第２の係合部としての係合突出部
Ｆ    被掃除面としての床面
Ｓ    吸引路
【図１】
2005199032.tif 000003
【図２】
2005199032.tif 000004
【図３】
2005199032.tif 000005
【図４】
2005199032.tif 000006
【図５】
2005199032.tif 000007
【図６】
2005199032.tif 000008